(57)【要約】【課題】外から戸締まり錠を解錠して室内へ侵入する窃盗犯に対して有効な戸締まり錠の解錠防止装置を提供する。【解決手段】建物の開口部に取り付けられたサッシ１の障子２をロックする戸締まり錠の解錠防止装置であって、障子２の窓ガラス３に強化フィルムを貼着して窓ガラス３を強化すると共に、窓ガラス３の室内側に、戸締まり錠４の少なくとも周辺を覆うように板状部材５ａを取り付けたもので、窓ガラス３を割って強化フィルムに先端が鋭利な道具により小孔を明けようとしても、板状部材５ａに邪魔されて戸締まり錠４の周辺に小孔を明けることが困難なため、小孔より先端が鋭利な道具を差し込んで戸締まり錠４を解錠することができず、これによって窃盗犯等が外から戸締まり錠４を解錠して室内へ侵入するのを確実に防止することができる。【選択図】        図１
2004183420.tif 000002
【特許請求の範囲】
【請求項１】
建物の開口部に取り付けられたサッシの障子をロックする戸締まり錠の解錠防止装置であって、前記障子の窓ガラスに強化フィルムを貼着して、前記窓ガラスを強化すると共に、前記窓ガラスの室内側に、前記戸締まり錠の少なくとも周辺を覆うように板状部材を取り付けたことを特徴とする戸締まり錠の解錠防止装置。
【請求項２】
前記板状部材を金属板で形成し、かつ前記戸締まり錠の係合部材と、前記板状部材を前記障子の縦框へ取り付ける取り付け片を前記金属板と一体に成形してなる請求項１に記載の戸締まり錠の解錠防止装置。
【請求項３】
前記板状部材を、先端が鋭利な道具によっても孔明けが不能な樹脂板や樹脂シート等により形成し、かつ既存の戸締まり錠の係合部材と干渉する部分に切り欠きを形成すると共に、前記板状部材を両面テープのような粘着手段により前記窓ガラスの室内側に取り付けてなる請求項１に記載の戸締まり錠の解錠防止装置。
【請求項４】
前記障子の召し合せ部に、前記縦框と一体に前記板状部材を突設してなる請求項１に記載の戸締まり錠の解錠防止装置。
【発明の詳細な説明】
【０００１】
【発明の属する技術分野】
本発明は窃盗犯等が外から戸締まり錠を解錠して室内へ侵入するのを防止する戸締まり錠の解錠防止装置に関する。
【０００２】
【従来の技術】
従来住宅等の建物の開口部に設置されたサッシには、クレセント等の戸締まり錠が取り付けられているが、これらの戸締まり錠は、窓ガラスに手が入る程度の孔を開けるだけで簡単に解錠できるため、近年この種の盗難被害が頻発している。
かかる盗難被害を防止する方法としては、窓枠に複数の戸締まり錠を取り付ける方法があるが、窓ガラス全体を破って侵入する窃盗犯に対しては有効でないと共に、窓毎に複数の戸締まり錠を設けた場合、戸締まり錠の施錠、解錠に手間がかかるため操作が煩雑である上、１つでも閉め忘れると防犯効果が半減する等の問題がある。
一方窓ガラスを破って侵入する窃盗犯に対し、窓ガラスが簡単に破られぬように窓ガラスに樹脂フィルムを貼着して、窓ガラスを強化したフィルム強化ガラスが提案されている（例えば、特許文献１、２参照）。
【０００３】
【特許文献１】
特開２００２−４６２１７号公報（段落０００８）
【特許文献２】
特開２００２−１７８４５１号公報（段落００１１、００１２）
【０００４】
前記特許文献１及び２は、何れもガラス板に接着樹脂層を介して有機樹脂フィルムを積層接着することにより、機械的特性、耐久性に優れたフィルム強化ガラスを実現するようにしたもので、窓ガラス等に接着することにより防犯ガラスとしても有効である。
【０００５】
【発明が解決しようとする課題】
しかし前記特許文献１及び２に記載されたフィルム強化ガラスを窓ガラスに使用した場合、次の手口で簡単に窃盗犯が侵入できるため、盗難被害を防止することができない。
その手口は、まずフィルムで強化された窓ガラスの戸締まり錠付近を金槌等で割った後、釘やドライバ等の先端が鋭利な道具を使用してフィルムに小さな孔を一つ明け、その孔から道具を差し込んで戸締まり錠のレバーを押すことにより戸締まり錠を簡単に解錠するもので、ほとんど物音を立てずに短時間で室内へ侵入できるため、単にフィルムで窓ガラスを強化しただけでは、この種の窃盗犯による盗難被害を確実に防止できない等の問題がある。
【０００６】
本発明はかかる従来の問題を改善するためになされたもので、外から戸締まり錠を解錠して室内へ侵入する窃盗犯に対して有効な戸締まり錠の解錠防止装置を提供することを目的とするものである。
【０００７】
【課題を解決するための手段】
前記目的を達成するため本発明の戸締まり錠の解錠防止装置は、建物の開口部に取り付けられたサッシの障子をロックする戸締まり錠の解錠防止装置であって、障子の窓ガラスに強化フィルムを貼着して窓ガラスを強化すると共に、窓ガラスの室内側に、戸締まり錠の少なくとも周辺を覆うように板状部材を取り付けたものである。
【０００８】
前記構成により、窓ガラスを割って強化フィルムに先端が鋭利な道具により小孔を明けようとしても、板状部材に邪魔されて戸締まり錠の周辺に小孔を明けることが困難なため、小孔より先端が鋭利な道具を差し込んで戸締まり錠を解錠することができず、これによって窃盗犯等が外から戸締まり錠を解錠して室内へ侵入するのを確実に防止することができる。
【０００９】
前記目的を達成するため本発明の戸締まり錠の解錠防止装置は、板状部材を金属板で形成し、かつ戸締まり錠の係合部材と、板状部材を障子の縦框へ取り付ける取り付け片を金属板と一体に成形したものである。
【００１０】
前記構成により、金属板をプレス等で打ち抜いて係合部材を切り起こすことにより、板状部材と係合部材が同時に製作できるため、解錠防止装置が安価に得られると共に、既存の係合部材を外した後に取り付け片を取り付けることにより、素人でも簡単に縦框に板状部材を取り付けることができるため、日曜大工店等でも戸締まり錠の解錠防止装置を広く販売することができる。
【００１１】
前記目的を達成するため本発明の戸締まり錠の解錠防止装置は、板状部材を、先端が鋭利な道具によっても孔明けが不能な樹脂板や樹脂シート等により形成し、かつ既存の戸締まり錠の係合部材と干渉する部分に切り欠きを形成すると共に、板状部材を両面テープのような粘着手段により窓ガラスの室内側に取り付けたものである。
【００１２】
前記構成により、適当な大きさに裁断した板状部材を粘着手段により窓ガラスの室内側に取り付けるだけで戸締まり錠の解錠防止効果が得られるため、窓の多い建物であっても、安価に防犯対策が講じられる。
【００１３】
前記目的を達成するため本発明の戸締まり錠の解錠防止装置は、障子の召し合せ部に、縦框と一体に板状部材を突設したものである。
【００１４】
前記構成により、新設のサッシに実施することにより、板状部材を窓毎に取り付ける手間を省略することができる。
【００１５】
【発明の実施の形態】
本発明の実施の形態を、図１ないし図３に示す図面を参照して詳述する。
図１は建物の開口部に取り付けられたサッシに戸締まり錠の解錠防止装置を装着した状態の正面図、図２は解錠防止装置の拡大図、図３は図２のＡ−Ａ線に沿う断面図である。
【００１６】
図１に示すサッシ１は、図示しない建物の開口部に取り付けられ枠体１ａ内に、例えば２枚の内外障子２が引き違いとなるように嵌挿されている。
障子２は縦框２ａと横框２ｂよりなる枠の中に窓ガラス３が嵌着されており、窓ガラス３は、樹脂フィルムよりなる強化フィルムが室内側に貼着されていて、耐衝撃性及び貫通性が強化された防犯ガラスとなっている。
各障子２の召し合わせ部には、クレセント等の戸締まり錠４と、戸締まり錠４の解錠防止装置５が設けられている。
戸締まり錠４は、内障子２の縦框２ａ端面にビス等の固着具（図示せず）により台座４ａが固着されていて、この台座４ａに円弧状の係合縁４ｂを有するほぼ半月状の回転板４ｃが回動自在に枢支されており、回転板４ｃからはレバー４ｄが突設されている。
【００１７】
回転板４ｃより突設された係合縁４ｂが係脱自在に係合する係合部材４ｅは、解錠防止装置５の板状部材５ａと一体に形成されている。
解錠防止装置５の板状部材５ａは、図２に示すように上下方向へ長い長方形状となっていて、ステンレス板等の金属板により形成されており、大きさは、戸締まり錠４の周辺に手が入る程度の孔を開けても、手が戸締まり錠４に届かない程度に設定されている。
板状部材５ａには、外障子２の縦框２ａの端面に当接する側に、取り付け片５ｂが突設されている。
この取り付け片５ｂは、サッシ１に取り付けられた既存の戸締まり錠４の係合部材４ｅを取り外した後に取り付けられるように、既存の係合部材４ｅに設けられたねじ孔と同じ間隔で上下方向に一対のねじ孔５ｃが形成されており、既存の係合部材４ｅを縦框２ａに取り付けていた固着具を使用して、縦框２ａの図１に示す位置に固着できるようになっている。
【００１８】
板状部材５ａには、取り付け片５ｂの近傍に係合部材４ｅが一体形成されている。
係合部材４ｅは、プレス等の加圧手段により板状部材５ａを打ち抜くことにより、フック状の係合部材４ｅを切り起こし形成したもので、切り起こした後の切り抜き孔５ｄは埋められて、切り抜き孔５ｄが表出しないようになっている。
【００１９】
次に前記構成された解錠防止装置の作用を説明する。
この種の装置は、すでに建物に取り付けられたサッシ１に取り付けることが多いので、既存のサッシ１に取り付ける場合について説明するが、勿論新たに建物に取り付けるサッシ１に予め取り付けておいてもよい。
取り付けに当たっては、既に内外障子２の召し合わせ部に取り付けられている戸締まり錠４のうち、外障子２の縦框２ａに取り付けられている係合部材４ｅを取り外したら、板状部材５ａの取り付け片５ｂを縦框２ａと窓ガラス３の間に挿入して固着具で固定するもので、取り付け片５ｂには予め既存の係合部材４ｅと同じ位置にねじ孔５ｃが形成されているので、ドライバ等の工具を使用して素人でも簡単に取り付けることができる。
【００２０】
以上のようにして外障子２の室内側に取り付けた板状部材５ａは、図１に示すように戸締まり錠４の周辺を覆うため、屋外側からでは戸締まり錠４の位置が分かりにくい上、板状部材５ａが金属板により形成されていることから、窓ガラス３を割った後、先端が鋭利な道具を使用して強化フィルムに小さな孔を明けようとしても小孔を明けることができないため、小孔より先端が鋭利な道具を差し込んで戸締まり錠４を解錠することができず、これによって窃盗犯が戸締まり錠４を解錠して室内へ侵入するのを確実に防止できるようになる。
【００２１】
なお前記実施の形態では、戸締まり錠４の係合部材４ｅを解錠防止装置５の板状部材５ａと一体に形成したが、図４ないし図９に示す変形例のように形成してもよい。
図４及び図５に示す変形例は、板状部材５ａに、戸締まり錠４の係合部材４ｅを溶接等の手段で固着したもので、係合部材４ｅは既存の戸締まり錠４の係合部材４ｅと同一形状となっているため、既存の戸締まり錠４の係合部材４ｅを取り外した後、板状部材５ａと一体となった係合部材４ｅを外障子２の縦框２ａに取り付けるだけで、外障子２の室内側に解錠防止装置５の板状部材５ａを取り付けることができる。
【００２２】
また図５及び図６に示す変形例は、既存の戸締まり錠４をそのまま使用し、戸締まり錠４の係合部材４ｅと干渉する部分にほぼＶ字形の切り欠き５ｆを設けた板状部材５ａを外障子２の室内側に取り付けた変形例を示すもので、この変形例の場合、窓ガラス３に両面テープ等の粘着手段等を使用して板状部材５ａを取り付けているため、板状部材５ａとしては金属板に限定されることはなく、先端が鋭利な道具で簡単に孔が明けられないものであれば、樹脂板や樹脂シート等であってもよい。
【００２３】
一方図８に示す変形例は、サッシ１の障子２を製作する際、予め外障子２の縦框２ａに一体に板状部材５ａを形成したもので、板状部材５ａの形状は、任意であり、左右とのバランスを考えて内障子２の縦框２ａにも、仮想線で示すように板状部材５ａを一体に形成してもよい。
この場合サッシ１の取り付け後に戸締まり錠４の解錠防止装置５を取り付ける手間が省ける効果がある。
【００２４】
また図９は外障子２の室内側に、戸締まり錠４の周辺が覆える幅の板状部材５ａを窓ガラス３の高さ一杯に取り付けた変形例を示すもので、この場合の板状部材５ａは、金属板でも樹脂板や樹脂シートでもよく、サッシ１への取り付けは両面テープ等の粘着手段により窓ガラス３の室内側へ粘着してもよく、金属板の場合は、ビス等の固着具で縦框２ａに直接固着してもよい。
【００２５】
以上は何れも戸締まり錠４の解錠防止装置５を引き違い窓に取り付けた場合について説明したが、引き違い窓に限らず、スイング窓や滑り出し窓、上下に開閉する上下窓等に取り付けられた戸締まり錠にも適用できることは勿論である。
【００２６】
【発明の効果】
本発明は以上詳述したように、障子の窓ガラスに強化フィルムを貼着して窓ガラスを強化すると共に、窓ガラスの室内側に、戸締まり錠の少なくとも周辺を覆うように板状部材を取り付けたことから、窓ガラスを割って強化フィルムに先端が鋭利な道具により小孔を明けようとしても、板状部材に邪魔されて戸締まり錠の周辺に小孔を明けることが困難なため、小孔より先端が鋭利な道具を差し込んで戸締まり錠を解錠することができず、これによって窃盗犯等が外から戸締まり錠を解錠して室内へ侵入するのを確実に防止することができる。
【００２７】
また板状部材を金属板で形成し、かつ戸締まり錠の係合部材と、板状部材を障子の縦框へ取り付ける取り付け片を金属板と一体に成形したことから、金属板をプレス等で打ち抜いて係合部材を切り起こすことにより、板状部材と係合部材が同時に製作できるため、解錠防止装置が安価に得られると共に、既存の係合部材を外した後に取り付け片を取り付けることにより、素人でも簡単に縦框に板状部材を取り付けることができるため、日曜大工店等でも戸締まり錠の解錠防止装置を広く販売することができる。
【００２８】
さらに板状部材を、先端が鋭利な道具によっても孔明けが不能な樹脂板や樹脂シート等により形成し、かつ既存の戸締まり錠の係合部材と干渉する部分に切り欠きを形成すると共に、板状部材を両面テープのような粘着手段により窓ガラスの室内側に取り付けるようにすれば、適当な大きさに裁断した板状部材を粘着手段により窓ガラスの室内側に取り付けるだけで戸締まり錠の解錠防止効果が得られるため、窓の多い建物であっても、安価に防犯対策が講じられると共に、障子の召し合せ部に、縦框と一体に板状部材を突設すれば、板状部材を窓毎に取り付ける手間を省略できるため、新設のサッシの場合特に有効である。
【図面の簡単な説明】
【図１】本発明の実施の形態になる戸締まり錠の解錠防止装置を装着したサッシの正面図である。
【図２】本発明の実施の形態になる戸締まり錠の解錠防止装置を示す平面図である。
【図３】図２のＡ−Ａ線に沿う断面図である。
【図４】本発明の実施の形態になる戸締まり錠の解錠防止装置の変形例を示す平面図である。
【図５】図４のＢ−Ｂ線に沿う断面図である。
【図６】本発明の実施の形態になる戸締まり錠の解錠防止装置の変形例を示す平面図である。
【図７】図６のＣ−Ｃ線に沿う断面図である。
【図８】本発明の実施の形態になる戸締まり錠の解錠防止装置の変形例を示すサッシの正面図である。
【図９】本発明の実施の形態になる戸締まり錠の解錠防止装置の変形例を示すサッシの正面図である。
【符号の説明】
１  サッシ
２  障子
２ａ  縦框
３  窓ガラス
４  戸締まり錠
４ｅ  係合部材
５  解錠防止装置
５ｃ  板状部材
【図１】
2004183420.tif 000003
【図２】
2004183420.tif 000004
【図３】
2004183420.tif 000005
【図４】
2004183420.tif 000006
【図５】
2004183420.tif 000007
【図６】
2004183420.tif 000008
【図７】
2004183420.tif 000009
【図８】
2004183420.tif 000010
【図９】
2004183420.tif 000011